(57)【特許請求の範囲】
【請求項１】
少なくとも１つの車輪を有する手曳き式のカート体と、
カート体に搭載された薬液タンクおよび希釈液タンクと、
薬液タンク内の薬液および希釈液タンク内の希釈液を汲み上げるポンプと、
薬液タンク内からの薬液と希釈液タンク内からの希釈液とを混合し該混合液をポンプに吸入させる混合器と、
ポンプから吐出された混合液を噴射する噴霧ノズルと、
太陽光エネルギーを電力に変換する太陽電池パネルと、
太陽電池パネルまたは外部電源からの電力を蓄える蓄電池と、
太陽電池パネルまたは蓄電池からの電力をポンプに供給する電力供給装置と、
薬液タンク内の薬液を吸引し、吸引した所定量の薬液を希釈液タンク内の希釈液に注入する注入器と、を備えて成り、
該注入器は、
計量用シリンダ、および該計量用シリンダ内で摺動する計量用ピストンから成る計量部と、
計量用シリンダよりも大径で計量用シリンダから延在して形成されたエア抜き用シリンダ、および計量用ピストンから延在して形成されていてエア抜き用シリンダ内で摺動するエア抜き用ピストンから成るエア抜き部と、
一端が薬液タンク内の薬液中に投入され他端が計量用シリンダの先端開口に連結されていて計量用シリンダに向かう方向にのみ流体流通を許容する第１逆止弁を有する吸込み用管路と、
一端がエア抜き用シリンダに連結され他端が薬液タンクに連結されていて薬液タンクに向かう方向にのみ流体流通を許容する第２逆止弁を有する戻し用管路と、
一端が計量用シリンダの先端開口に連結され他端が希釈液タンクに連結されていて希釈液タンクに向かう方向にのみ流体流通を許容する第３逆止弁を有する注入用管路と、
を備えて成ることを特徴とする簡易式噴霧機。
【発明の詳細な説明】
【技術分野】
【０００１】
本発明は、車輪走行するカート体に、液タンク、ポンプ、ポンプ駆動源、および噴霧ノズルを搭載した手曳き式の簡易式噴霧機に関するものである。
【背景技術】
【０００２】
従来、この種の噴霧機としては例えば下記の特許文献１に記載されたものが知られている。かかる文献記載の噴霧機は、手曳き式の２輪カート体の載置部に、原動機およびポンプなどの噴霧用動力機器、噴霧液タンク、および噴霧ノズルを搭載したものである。この噴霧機では、一方の手で把手を持ってカート体を曳きながら、他方の手で持った噴霧ノズルから除草剤などの薬液を散布するようになっている。
【先行技術文献】
【特許文献】
【０００３】
【特許文献１】特開２０１０−１００１８５号公報
【発明の概要】
【発明が解決しようとする課題】
【０００４】
ところで、前記したような従来の噴霧機は原動機を搭載しているため、蓄電池を用いた場合のように充電量の消費を心配する必要はない。しかしながら、原動機は比較的重量があるため、山間の傾斜が急な農地での作業には不向きであると考えられる。
そこで、動力源として蓄電池の充電電力を用いてポンプを駆動することが考えられるが、蓄電池の充電容量には限りがあるため、長時間の散布作業ができないおそれがある。そのため、蓄電池を用いた場合の噴霧作業を、よりいっそう継続させることが嘱望される。他方で、山畑や傾斜のきつい農地では車輪走行ができない場所もある。
【０００５】
本発明は、上記した従来の問題点に鑑みてなされたものであって、電力を充電した蓄電池を用いる場合でも、噴霧作業をよりいっそう継続させることのできる簡易式噴霧機の提供を目的とする。
【課題を解決するための手段】
【０００６】
上記目的を達成するために、本発明に係る簡易式噴霧機は、少なくとも１つの車輪を有する手曳き式のカート体と、カート体に搭載された薬液タンクおよび希釈液タンクと、薬液タンク内の薬液および希釈液タンク内の希釈液を汲み上げるポンプと、薬液タンク内からの薬液と希釈液タンク内からの希釈液とを混合し該混合液をポンプに吸入させる混合器と、ポンプから吐出された混合液を噴射する噴霧ノズルと、太陽光エネルギーを電力に変換する太陽電池パネルと、太陽電池パネルまたは外部電源からの電力を蓄える蓄電池と、太陽電池パネルまたは蓄電池からの電力をポンプに供給する電力供給装置と、薬液タンク内の薬液を吸引し、吸引した所定量の薬液を希釈液タンク内の希釈液に注入する注入器と、を備えて成り、該注入器は、計量用シリンダ、および該計量用シリンダ内で摺動する計量用ピストンから成る計量部と、計量用シリンダよりも大径で計量用シリンダから延在して形成されたエア抜き用シリンダ、および計量用ピストンから延在して形成されていてエア抜き用シリンダ内で摺動するエア抜き用ピストンから成るエア抜き部と、一端が薬液タンク内の薬液中に投入され他端が計量用シリンダの先端開口に連結されていて計量用シリンダに向かう方向にのみ流体流通を許容する第１逆止弁を有する吸込み用管路と、一端がエア抜き用シリンダに連結され他端が薬液タンクに連結されていて薬液タンクに向かう方向にのみ流体流通を許容する第２逆止弁を有する戻し用管路と、一端が計量用シリンダの先端開口に連結され他端が希釈液タンクに連結されていて希釈液タンクに向かう方向にのみ流体流通を許容する第３逆止弁を有する注入用管路と、を備えた構成にしてある。
【発明の効果】
【０００７】
本発明に係る簡易式噴霧機によれば、太陽光エネルギーを電力に変換する太陽電池パネルと、蓄電池と、太陽電池パネルまたは蓄電池からの電力をポンプに供給する電力供給装置とを備えているので、太陽光エネルギーを用いてポンプを駆動し噴霧ノズルから噴霧させることができる。これにより、蓄電池に充電されていた電力が噴霧作業により消費されて作業を継続させることが難しくなるような場合でも、太陽電池パネルからの電力を用いて噴霧作業をよりいっそう継続させることができる。あるいは、噴霧作業を行なわない場合には、次の作業に備えて太陽電池パネルからの電力を蓄電池に充電しておくことも可能となる。
【０００８】
更に、薬液タンク内の薬液を吸引し、吸引した所定量の薬液を希釈液タンク内の希釈液に注入する注入器を備えているので、所定量の薬液を正確に計量して希釈液と希釈混合することができ、正確な希釈倍率の混合液を得ることができる。これにより、高希釈倍率の殺虫剤であっても適正に噴霧作業に使用することができる。また、誤計量しやすい小容量計量カップを使用する必要がなく、使用後のカップを洗浄する手間も省くことができる。
【図面の簡単な説明】
【０００９】
【図１】本発明の一実施形態に係る簡易式噴霧機の外観図である。
【図２】前記簡易式噴霧機の希釈液タンクおよび薬液タンクの側断面図である。
【図３】前記希釈液タンクの正断面図である。
【図４】前記簡易式噴霧機の混合器の外観図である。
【図５】前記簡易式噴霧機の概略全体構成図である。
【図６】前記簡易式噴霧機の制御系統構成図である。
【図７】前記簡易式噴霧機の側面図である。
【図８】前記簡易式噴霧機の太陽電池パネルを水平に向けた状態を示す状態説明図である。
【図９】前記簡易式噴霧機を手曳きしながら薬液散布する状態を示す使用態様説明図である。
【図１０】前記希釈液タンクおよび薬液タンクを斜めにした状態の側断面図である。
【図１１】カートユニットから取り外した噴霧ユニットを使用する状態を示す使用態様説明図である。
【図１２】前記簡易式噴霧機の注入器の外観図である。
【図１３】前記注入器およびその付帯構成を示す側断面構成図である。
【図１４】前記注入器の計量用シリンダおよびエア抜き用シリンダに薬液およびエアを吸い入れる動作を示す動作説明図である。
【図１５】薬液およびエアを薬液タンクに戻す動作を示す動作説明図である。
【図１６】計量用シリンダで計量後の薬液を希釈液タンクに送出した動作を示す動作説明図である。
【発明を実施するための形態】
【００１０】
本発明の実施形態を図面に基づいて説明する。尚、以下に述べる実施形態は本発明を具体化した一例に過ぎず、本発明の技術的範囲を限定するものでない。図１は本発明の一実施形態に係る簡易式噴霧機の外観図、図２は前記簡易式噴霧機の希釈液タンクおよび薬液タンクの側断面図、図３は前記希釈液タンクの正断面図、図４は前記簡易式噴霧機の混合器の外観図、図５は前記簡易式噴霧機の概略全体構成図、図６は前記簡易式噴霧機の制御系統構成図である。
各図において、この実施形態に係る簡易式噴霧機１は、太陽光エネルギーＳを電力に変換する太陽電池パネル５をカート体４に搭載したカートユニット２と、噴霧ノズル５０などから成る噴霧ユニット３とから構成されている。前記の噴霧ユニット３は、薬液タンク１５、希釈液タンク１４、ポンプ４６、混合器２８、噴霧ノズル５０、および、電力供給装置６１を含む制御装置６０から構成されている。
【００１１】
カート体４は、平行に配置された前後フレーム９，９の前端部に竪フレーム１１，１１が立設され、前後フレーム９，９上に載置台１３が設置されている。前後フレーム９，９の後部は下向きに曲げられてつなげられた脚部９Ａとなっている。前後フレーム９，９の下方には、左右の車軸受１０，１０が垂設され、これらの車軸受１０，１０に２つの車輪８，８が回動自在に枢支されている。竪フレーム１１，１１の上端部には、手曳きのための把手部１２が架け渡されている。カート体４の載置台１３上には、希釈液タンク１４が搭載されている。カート体４における左右の竪フレーム１１，１１の上下中央下部には、凹の字状の受け部材５４，５４が後向きに熔接などで固設されている。そして、希釈液タンク１４の左右両側面に形成された雌ネジ穴（図示省略）に螺合するビス５５，５５が、カート体４の受け部材５４，５４に係脱自在に載置支持されることにより、噴霧ユニット３がカートユニット２に着脱可能に装着される。
【００１２】
希釈液タンク１４は、上面に液投入口１６を有し希釈液Ｗ（例えば水）を貯留する矩形箱状の容器であり、その背面に格納凹部２６が形成されている。希釈液タンク１４の格納凹部２６には、後述する駆動部４０が収納される。希釈液タンク１４の液投入口１６はキャップ１７で封止される。希釈液タンク１４内の底部において前側の左右中央部は最も低い最下底面１９となっている。最下底面１９の左右両側には、最下底面１９に液を集めるための傾斜底面２０，２０が形成されている。最下底面１９近傍の側面には、液排出口１８が形成されており、通常時、液排出口１８はキャップで封止されている。希釈液タンク１４の左右上端部にはリブ２１，２１が形成され、これらのリブ２１，２１には、後述するベルト６９のスナップリング６８（図１１参照）を掛止するための吊穴２２が形成されている。
【００１３】
薬液タンク１５は上部に液投入口３４を有し薬液Ｍ（例えば殺虫剤）を貯留する箱状容器であり、多くの場合は希釈液タンク１４よりも小さな容量で形成されている。薬液タンク１５は、希釈液タンク１４の格納凹部２６に収納された駆動部４０のケーシングの背面に取り付けられている。液投入口３４は希釈液タンク１４の背面に対し角度θだけ後方に傾けて配置されている。この角度θは、簡易式噴霧機１を直立させたとき（図７参照）に液投入口３４から薬液Ｍを入れやすい角度であり、且つ、ノズル散布時に簡易式噴霧機１を手曳きのために傾けたときは液投入口３４の口芯が縦向きとなる角度であり、例え液投入口３４を封止するキャップ３５が緩んでいた場合でも薬液Ｍが液投入口３４からこぼれにくくなるようになっている。
【００１４】
格納凹部２６内における希釈液タンク１４の側壁には中継管部２３が貫通配備されている。中継管部２３の両端には管路２４，２４が接続されている。一方の管路２４の先端には、希釈液タンク１４の最下底面１９上に投入される錘付き吸込み口２５が取り付けられている。他方の管路２４の先端は、後述する混合器２８の希釈液入側管路２９に接続されている。そして、薬液タンク１５の側壁および駆動部４０のケーシングの側壁には中継管部３８が貫通配備されている。中継管部３８の両端には管路３６，３６が接続されている。一方の管路３６の先端には、薬液タンク１５の底面上に投入される錘付き吸込み口３７が取り付けられている。他方の管路３６の先端は混合器２８の薬液入側管路３１に接続されている。これら管路３６，３６のいずれかには、例えば手動で開閉される開閉弁５６が配備されている。
【００１５】
混合器２８は、管体である本体ケーシング３０と、本体ケーシング３０の入側に分岐接続されて希釈液タンク１４内の希釈液Ｗが導入される希釈液入側管路２９と、本体ケーシング３０の入側に分岐接続されて薬液タンク１５内の薬液Ｍが導入される薬液入側管路３１と、本体ケーシング３０の出側に接続された液出側管路３２とから構成されている。液出側管路３２は管路４５を介してポンプ４６の吸込み側と接続されている。希釈液入側管路２９および薬液入側管路３１はそれぞれ分割可能に形成されていて、それぞれの分割部分はキャップ３３，３３により分離可能に連結される。希釈液入側管路２９内にはポンプ４６に向かう流体流通のみ許容する逆止弁４２とオリフィス４１が配備されている。薬液入側管路３１内にもポンプ４６に向かう流体流通のみ許容する逆止弁４４と、オリフィス４１の孔径φ１よりも小径の孔径φ２を有するオリフィス４３が配備されている。オリフィス４１とオリフィス４３の孔径比（＝φ１／φ２）は薬液Ｍの種類、用途、作業状態に応じて異なるが、薬液Ｍが例えば除草剤である場合、希釈倍率＝９／１〜５０／１程度とするように孔径比が選定される。この混合器２８は、薬液タンク１５内からの薬液Ｍと希釈液タンク１４内からの希釈液Ｗとを所定比率で混合し、その混合液Ｙをポンプ４６に吸入させるようになっている。
【００１６】
ポンプ４６の吐出側はホース４７を介して散布杆の把手４８の末端側に接続されている。把手４８には、枢支部５１回りに揺動するハンドル５２により開閉される弁体（図示省略）と、ハンドル５２の揺動を検出して弁体の開放を検知する手元スイッチ５３が配備されている。把手４８の先端には散布管４９が接続され、散布管４９の先端には混合器２８で混合された混合液Ｙを噴射するノズル５０が配備されている。
【００１７】
上記した駆動部４０には、ポンプ４６の他に、制御装置６０が配備されている。制御装置６０は、電力供給装置６１と、トグルスイッチ６２と、ＡＤコンバータ６３と、コンセント６４と、蓄電池６５と、接続端子６６とを備えている。接続端子６６は太陽電池パネル５の接続端子６７と分離可能に接続されるようになっている。尚、電力供給装置６１の入力側には、太陽電池パネル５、手元スイッチ５３、トグルスイッチ６２、ＡＤコンバータ６３および蓄電池６５が接続され、電力供給装置６１の出力側には、ポンプ４６のモータおよび蓄電池６５が接続されている。トグルスイッチ６２は、蓄電池６５と電力供給装置６１間の配線を断続して、不要時における蓄電池６５からの無駄な放電を防ぐものである。
【００１８】
この簡易式噴霧機１の諸元は、それぞれ一例であるが、希釈液タンク１４の内容量が５Ｌ、薬液タンク１５の内容量が５００ｍＬ、総重量が４．４ｋｇ、把手部１２までの高さが１ｍ程度である。また、ポンプ４６は、モータ出力が３Ｗ、噴霧量が０．１Ｌ／分、噴霧圧力が０．１〜０．１５ＭＰａである。太陽電池パネルの発電能力は５．６Ｗ（１２Ｖ）である。この簡易式噴霧機１の連続使用可能時間は、曇天時で満充電状態から約２時間、晴天時で満充電状態から約４時間である。ここでは、薬液Ｍとして除草剤を用い、希釈倍率１０／１に希釈した混合液Ｙを噴霧する例を示す。
【００１９】
上記のように構成された簡易式噴霧機１の作用を次に説明する。太陽電池パネル５は、カート体４における左右の竪フレーム１１，１１の上下中央上部に後向きに熔接などで固設された支持板６，６に枢支軸７を介して矢印Ｒのように上下揺動自在に支持されている。そこで、希釈液タンク１４に希釈液Ｗを投入する場合、または薬液タンク１５に薬液Ｍを投入する場合は、図７に示すように、太陽電池パネル５を上にはね上げておくと、液投入作業や各機器のメンテナンスなどを容易かつ効率よく行なうことができる。
一方、噴霧作業前の待機時間中は、図８に示すように、太陽電池パネル５を水平姿勢にしておくとよい。これにより、太陽電池パネル５が多量の太陽光エネルギーを受けて多くの電力を発電することができる。太陽電池パネル５からの電力を受ける電力供給装置６１は周知の充電・放電制御機能を備えており、ポンプ４６が停止中で蓄電池６５の充電容量が満量でない場合は、太陽電池パネル５からの電力を蓄電池６５へ供して充電を行なう。ポンプ４６が駆動中は太陽電池パネル５からの電力をポンプ４６への供給するようになっている。
【００２０】
そうして、噴霧作業の前に、商用交流電源（外部電源）のプラグをコンセント６４に差し込み、ＡＤコンバータ６３で変換した直流電源を電力供給装置６１により蓄電池６５に満量充電させておくとよい。そして、噴霧作業に際しては、太陽電池パネル５を水平姿勢に竪フレーム１１と直角の方向から角度αぶん下向きにしておく。この角度αは、手曳きされて前傾した簡易式噴霧機１の太陽電池パネル５がほぼ水平姿勢となる角度である。但し、太陽電池パネル５の姿勢は水平姿勢に限るものでなく、太陽の位置の応じた角度に設定するとよい。また、開閉弁５６を開にしておく。
そこで、図９に示すように、簡易式噴霧機１の把手部１２を手で持って前方（矢印Ｆ方向）に曳いていく。すると、竪フレーム１１が前方に傾き、太陽電池パネル５がほぼ水平姿勢となる。これにより、太陽電池パネル５が太陽光エネルギーＳを最大限に受けて多量の電力を発電して電力供給装置６１に出力する。
そして、作業者がハンドル５２を握ると、把手４８内のバルブが開くとともに手元スイッチ５３が入になる。これにより、電力供給装置６１がポンプ４６に給電をして駆動させる。
【００２１】
このポンプ４６の駆動により希釈液タンク１４内の希釈液Ｗおよび薬液タンク１５内の薬液Ｍが汲み上げられ、混合器２８において所定比率（希釈液Ｗ／薬液Ｍ＝９／１）で混合されて混合液Ｙにされる。この混合液Ｙはポンプ４６から吐出され噴霧ノズル５０から噴射される。尚、簡易式噴霧機１が前方に傾くと、図１０に示すように、希釈液タンク１４も傾くが、最下底面１９は希釈液タンク１４の前部に配置されているため、噴霧作業時に希釈液タンク１４が傾いても、錘付き吸込み口２５は常に最下位置にある。そのため、最後の希釈液Ｗまで噴霧に使用することができる。
【００２２】
上記した簡易式噴霧機１によれば、太陽電池パネル５を備えているので、太陽光エネルギーＳを用いてポンプ４６を駆動し噴霧ノズル５０から噴霧させることができる。これにより、蓄電池６５に充電されていた電力が噴霧作業により消費されて作業を継続させることが難しくなるような場合でも、太陽電池パネル５からの電力も併用しながら噴霧作業を継続できるようになる。あるいは、作業を行なわない場合には、次の作業に備えて蓄電池６５に充電しておくことも可能である。
そして、太陽電池パネル５は上下揺動自在にカート体４に支持されているので、カート体４の正立姿勢、噴霧作業時の傾斜姿勢、液取り扱いや噴霧ユニット３の着脱操作時などの状況に応じて、太陽電池パネル５を上下揺動させて好適な角度にすることができる。これにより、効率よく太陽光エネルギーＳを利用できるほか、各種作業を容易に行なうことができる。
【００２３】
また、簡易式噴霧機１の車輪走行が困難な場合は、ビス５５と受け部材５４との係合状態を解除し、噴霧ユニット３を手で持ち上げてカートユニット２から取り外し、太陽電池パネル５側の接続端子６７を噴霧ユニット３側の接続端子６６から取り外しておく。その後、図１１に示すように、希釈液タンク１４の吊穴２２，２２にベルト６９両端のスナップリング６８，６８を掛止させる。これにより、ベルト６９を肩に掛け、手で噴霧ノズル５０の把手４８を持って噴霧作業を行なえる。
すなわち、簡易式噴霧機１によれば、噴霧ユニット３がカートユニット２に着脱可能に装着されているので、噴霧ユニット３をカートユニット２から取り出して噴霧作業に使用することができる。従って、カートユニット２の車輪走行が困難または不可能な場所であっても、噴霧ユニット３のみを人手で運んで噴霧作業を行なうことができる。
【００２４】
ところで、薬液Ｍはこれまで５ｍＬ〜１００ｍＬ程度の各種の計量カップを用いて計量されていた。しかしながら、殺虫剤などのように大きな希釈倍率（例えば１０００／１など）で使用される薬剤の場合、希釈倍率を間違えると、薄すぎて殺虫効果を逸失したり或いは濃すぎて人体に悪影響を及ぼしたりすることがある。特に、希釈倍率が大きい場合は、極めて小さな計量カップを使用せざるを得ず、精度よく計量できないことがあった。また、計量後は安全上の注意から、使用済みの計量カップを丁寧に洗う手間を必要としていた。
【００２５】
そこで、簡易式噴霧機１は、図１２および図１３に示すような注入器８０を備えている。この注入器８０は、筒状容器である本体ケーシング８１内に、計量用シリンダ８２、および計量用シリンダ８２内で摺動するＯリング８４を備えた計量用ピストン８３から成る計量部８５と、計量用シリンダ８２よりも大径で計量用シリンダ８２から上方に延在して形成されたエア抜き用シリンダ８６、および計量用ピストン８３から上方に延在して形成されていてエア抜き用シリンダ８６内で摺動するＯリング８８を備えたエア抜き用ピストン８７から成るエア抜き部８９とを備えている。そして、本体ケーシング８１は、計量用シリンダ８２の先端開口９５につながる接続管部９０と、エア抜き用シリンダ８６の入側につながる接続管部１１０と、計量用シリンダ８２の先端開口９５につながる接続管部１０１とを備えている。
【００２６】
前記の接続管部９０には、一端が薬液タンク１５内の薬液Ｍ中に投入された吸込み用管路９１の他端が接続される。吸込み用管路９１は、その途中に計量用シリンダ８２に向かう方向（矢印Ｃ方向）にのみ流体流通を許容する第１逆止弁９２を有している。第１逆止弁９２は、上向きに配置された弁座９３と、自重および薬液Ｍの流動により弁座９３を開閉する玉弁９４とから構成される。前記の接続管部１１０には、一端がエア抜き用シリンダ８６に連結された戻し用管路９６の他端が接続される。戻し用管路９６は、その途中に薬液タンク１５に向かう方向（矢印Ｅ方向）にのみ流体流通を許容する第２逆止弁９７を有している。第２逆止弁９７は、上向きに配置された弁座９８と、自重および薬液Ｍの流動により弁座９８を開閉する玉弁９９とから構成される。
【００２７】
前記の接続管部１０１には、一端が希釈液タンク１４に連結された注入用管路１０５の他端が接続される。注入用管路１０５は、希釈液タンク１４に向かう方向（矢印Ｇ方向）にのみ流体流通を許容する第３逆止弁１００を有している。第３逆止弁１００は、弁座１０３と、コイルバネ１０４のバネ力により弁座１０３を開閉する弁体１０３とから構成される。前記の計量用ピストン８３およびエア抜き用ピストン８７はピストンロッド１０６の一部として一体に形成されている。ピストンロッド１０６の上端部は手で上げ下げ駆動される手操作部１０７となっている。ピストンロッド１０６は、ロック片１０８によるロック、ロック解除により上下動が規制されたり解除されたりする。エア抜き用シリンダ８６の上面開口はキャップ１０９で蓋止される。
【００２８】
この注入器８０は、薬液タンク１５内の薬液Ｍを吸引し、吸引した所定量の薬液Ｍを希釈液タンク１４内の希釈液Ｗに注入するために使用される。この場合、定量した薬液Ｍは希釈液タンク１４内の希釈液Ｗに投入されて混合されたものが噴霧に使用され、混合器２８での薬液Ｍの混合は行なわないため、開閉弁５６は閉にしておく。
そこで、図１４に示すように、作業者が手操作部１０７を矢印Ｂのように持ち上げると、エア抜き用ピストン８７がエア抜き用シリンダ８６内を上端まで摺動して、吸込み用管路９１内の薬液Ｍおよびエアを計量用シリンダ８２内およびエア抜き用シリンダ８６内に吸い入れる。このとき、第１逆止弁９２の玉弁９４は弁座９３を開き、第２逆止弁９７の玉弁９９は弁座９８を閉じている。
次に、図１５に示すように、作業者が手操作部１０７を矢印Ｄのように押し下げると、第１逆止弁９２の玉弁９４が弁座９３を閉じ、第２逆止弁９７の玉弁９９が弁座９８を開く。これにより、エア抜き用シリンダ８６内にあった薬液Ｍおよびエアが、矢印Ｅのように、戻し用管路９６および第２逆止弁９７を経て薬液タンク１５に戻される。
図１４および図１５に示したエア抜き用シリンダ８６内でのエア抜き用ピストン８７の上げ下げ操作が適宜回数繰り返されることにより、注入器８０の吸込み側の経路（吸込み用管路９１、第１逆止弁９２、接続管路９０、先端開口９５および計量用シリンダ８２）内からエアが排除され薬液Ｍのみに置換される。
【００２９】
そうした後、図１６に示すように、ロック片１０８をロック解除にして手操作部１０７が更に押し下げられ、計量用ピストン８３が計量用シリンダ８２内をシリンダ下端まで摺動する。このとき、第１逆止弁９２および第２逆止弁９７は閉じ、第３逆止弁１００の弁座１０２は開いている。これにより、計量用シリンダ８２の内容積に相当する計量分として計量された薬液Ｍが、矢印Ｇで示すように第３逆止弁１００、接続管部１０１および注入用管路１０５を経て希釈液タンク１４内の希釈液Ｗに投入されるのである。この場合、希釈液タンク１４内の希釈液Ｗの量を１０Ｌとすると、計量用シリンダ８２による１回の計量分が例えば５ｍＬであるから、２００倍希釈にするためには、上記した計量投入操作が１０回ぶん行なわれる。目的とする計量投入操作を終えると、ロック片１０８を戻して手操作部１０７をロック状態にしておく。
【００３０】
以上述べたように、この注入器８０によれば、エア抜き用シリンダ８６およびエア抜き用ピストン８７により吸込み側のエアを排除したうえで、計量用シリンダ８２および計量用ピストン８３により薬液Ｍを計量して希釈タンク１４に送るようになっているので、所定量の薬液Ｍを正確に計量して希釈液Ｗと希釈混合することができ、正確な希釈倍率の混合液Ｙを得ることができる。これにより、高希釈倍率にされる殺虫剤であっても適正に噴霧作業に使用することができる。また、誤計量しやすい小容量計量カップを使用する必要がなく、使用後のカップを洗浄する手間も省けるという効果を呈する。
【００３１】
尚、上記の実施形態では、カート体４の車輪８として、２輪のものを例示したが１輪または３輪以上のカート体であっても構わない。
【符号の説明】
【００３２】
１ 簡易式噴霧機
２ カートユニット
３ 噴霧ユニット
４ カート体
５ 太陽電池パネル
６ 支持板
７ 枢支軸
８ 車輪
１１ 竪フレーム
１２ 把手部
１３ 載置台
１４ 希釈液タンク
１５ 薬液タンク
２８ 混合器
２９ 希釈液入側管路
３１ 薬液入側管路
３２ 液出側管路
４６ ポンプ
５０ 噴霧ノズル
５４ 受け部材
５５ ビス
６０ 制御装置
６１ 電力供給装置
６３ ＡＤコンバータ
６４ コンセント
６５ 蓄電池
６６ 接続端子
６７ 接続端子
８０ 注入器
８２ 計量用シリンダ
８３ 計量用ピストン
８５ 計量部
８６ エア抜き用シリンダ
８７ エア抜き用ピストン
８９ エア抜き部
９１ 吸込み用管路
９２ 第１逆止弁
９５ 先端開口
９６ 戻し用管路
９７ 第２逆止弁
１００ 第３逆止弁
１０５ 注入用管路
Ｂ，Ｃ，Ｄ，Ｅ，Ｆ，Ｇ，Ｒ 矢印
Ｍ 薬液
Ｓ 太陽光エネルギー
Ｗ 希釈液
Ｙ 混合液
【図１】
0005346983.tif 000002
【図２】
0005346983.tif 000003
【図３】
0005346983.tif 000004
【図４】
0005346983.tif 000005
【図５】
0005346983.tif 000006
【図６】
0005346983.tif 000007
【図７】
0005346983.tif 000008
【図８】
0005346983.tif 000009
【図９】
0005346983.tif 000010
【図１０】
0005346983.tif 000011
【図１１】
0005346983.tif 000012
【図１２】
0005346983.tif 000013
【図１３】
0005346983.tif 000014
【図１４】
0005346983.tif 000015
【図１５】
0005346983.tif 000016
【図１６】
0005346983.tif 000017